(57)【要約】【課題】画像読取装置及び画像読取方法において、原稿の再読み取り直し時に最適な読み取り条件を再設定し、容易に画像の読み取り直しを行う。【解決手段】原稿を読み取る読取部２と、前記読取部２による原稿の読み取り条件を設定する読み取り条件設定部１と、前記読取部２によって読み取られた原稿画像と前記読み取り条件設定部１により設定された読み取り条件とを対で保存する画像データ保存部３と、原稿を再度読み取り直す際に前記画像データ保存部３から、読み取り直しが必要な原稿の読み取り条件を呼び出す読み取り条件呼出部５と有する構成とする。【選択図】図２
2005354162.tif 000002
【特許請求の範囲】
【請求項１】
原稿を読み取る読取部と、前記読取部による原稿の読み取り条件を設定する読み取り条件設定部と、前記読取部によって読み取られた原稿画像と前記読み取り条件設定部により設定された読み取り条件とを対で保存する画像データ保存部とを備えたことを特徴とする画像読取装置。
【請求項２】
原稿を読み取る読取部と、前記読取部による原稿の読み取り条件を設定する読み取り条件設定部と、前記読取部によって読み取られた原稿画像と前記読み取り条件設定部により設定された読み取り条件とを対で保存する画像データ保存部と、原稿を再度読み取り直す際に前記画像データ保存部から、読み取り直しが必要な原稿の読み取り条件を呼び出す読み取り条件呼出部とを備えることを特徴とする画像読取装置。
【請求項３】
前記読み取り条件設定部は、原稿の読み取り条件を再設定することを特徴とする請求項１または２記載の画像読取装置。
【請求項４】
原稿を読み取る読取手段と、前記読取手段による原稿の読み取り条件を設定する読み取り条件設定手段と、前記読取手段によって読み取られた原稿画像と前記読み取り条件設定手段により設定された読み取り条件とを対で保存する画像データ保存手段と、原稿を再度読み取り直す際に前記画像データ保存手段から、読み取り直しが必要な原稿の読み取り条件を呼び出す読み取り条件呼出手段とを備えることを特徴とする画像読取方法。
【請求項５】
前記読み取り条件設定手段は、原稿の読み取り条件を再設定することを特徴とする請求項４記載の画像読取方法。
【発明の詳細な説明】
【技術分野】
【０００１】
本発明は、読み取り条件を設定して画像を読み取り、その画像を保存する画像読取装置及び画像読取方法に関する。
【背景技術】
【０００２】
一般的に画像読み取り装置は、先ず読み取り条件を設定し、その条件の下に画像を読み取り、メモリ／ハードディスクなどの記憶装置に保存される。そして、その保存された画像は必要に応じて記憶装置から呼び出され参照することができる。
【０００３】
ここで、（特許文献１）には、図７に示すような原稿読取条件や送信条件・送信先等の履歴情報を保存し、必要に応じてその履歴情報を利用することにより、システムの再利用時に作業性、および使用状況の確認や異常発生時におけるメンテナンス等の作業性を向上させる構成として、所定の通信プロトコルに従ってネットワーク通信を行うＬＡＮ６００に接続され、ＬＡＮ６００上に読取画像情報を転送するイメージスキャナ装置が、原稿読み取り制御および通信制御を実行するＣＰＵ５０１と、ＬＡＮ６００と接続し、読取画像情報をＬＡＮ６００上に転送し、かつ受信側からの情報を受け取るＬＡＮ制御部５０８と、通信終了後に、ＣＰＵ５０１の指示に基づいて、ＬＡＮ６００上の相手側の宛て先情報および読み取り条件等の通信・読取履歴情報が格納されるＲＡＭ５０４、５０５、５０６とを備えたネットワーク対応にスキャナ装置５００を備えたシステムが開示されている。これによれば、ネットワーク対応スキャナにおいて、通信が終了した時に原稿読み取り条件および送信条件・送信先などの履歴情報を保存することでシステムの再利用時の作業性を向上させているが、読み取り条件のみを保存して再利用可能にしているだけである。実際に読み取られた画像データを参照して、正しく読み取りが行われていないなどの理由で再度読み取りをする場合には画像データと、その読み取り条件を関連を持たせて保存させておいて画像データの参照作業にて、再度読み取りが必要と判断された場合にいっしょに保存された読み取り条件を呼び出すことで迅速に適切な読み取り条件を再利用できる。
【０００４】
また、（特許文献２）には、図８に示すように省エネモードからの復帰時に画像読取条件の調整を行わずに復帰時間を短縮する構成として、原稿画像をＣＣＤ７００及び移動機構に載置された光学系からなる読取部７０１で光電変換し、光電変換した画像信号の黒レベル及び白レベル等の画像読取条件を設定可能にした画像読取装置において、省エネモードへの移行時、画像読取条件を設定する手段を読み取りユニットに備え、設定した画像読取条件を保存する手段を制御ユニット７０２に備える。省エネモードからの復帰時、前記保存した画像読取条件を設定して画像読み取りを行う画像読取装置が開示されている。これによれば、省エネモードに移行する際に、読み取り条件設定装置に設定されている読み取り条件を、一旦保存しておき、省エネモードからの復帰時に、保存した読み取り条件を読み取り条件設定装置に再設定される。
【特許文献１】特開平１１−３３１４６９号公報
【特許文献２】特開２００３−２１９１２７号公報
【発明の開示】
【発明が解決しようとする課題】
【０００５】
しかしながら、（特許文献１）に開示のものは、呼び出して参照した結果、適切に読み取られていない場合、（多数の原稿を連続して読み取るドキュメントスキャナでは、その中の数枚の原稿が適切に読み取られていないことが特に発生する。）保存された画像データを見ても、それを読み取った際の読み取り条件を認識することはできず、適切な画像データを読み取りなおす場合に、適切な読み取り条件を決定するのに手間取るという問題点
を有していた。
【０００６】
また、（特許文献２）に開示のものは、ここにはまだ画像読み取り作業は発生してなく、本要件である画像データに関連した読み取り条件を呼び出すものとは異なる。
【０００７】
本発明が解決しようとする問題点は、適切に読み取れなかった画像を読み取り条件を容易に設定して読み取りなおすことができない点である。
【課題を解決するための手段】
【０００８】
本発明は、上記問題を解決するもので、原稿を読み取る読取部と、前記読取部による原稿の読み取り条件を設定する読み取り条件設定部と、前記読取部によって読み取られた原稿画像と読み取り条件とを対で保存する画像データ保存部とを備えた構成としたものである。
【０００９】
この構成により、画像データ保存手段から読み取り条件データを呼び出して、読み取り条件を読み取り条件設定手段に再設定するので、適切に読み取れなかった画像を読み取り直すことが可能となる。
【発明の効果】
【００１０】
本発明は、上記構成を有し、原稿を読み取った際の読み取り条件を再設定可能としたことにより、容易にその読み取り条件から必要な部分だけを変更して迅速に読み取り直しができる。
【発明を実施するための最良の形態】
【００１１】
本発明の請求項１に記載の発明は、原稿を読み取る読取部と、読取部による原稿の読み取り条件を設定する読み取り条件設定部と、読取部によって読み取られた原稿画像と読み取り条件設定部により設定された読み取り条件とを対で保存する画像データ保存部とを備えたことを特徴とする画像読取装置であり、原稿画像と読み取った際の原稿の読み取り条件とを一緒に保存できるので、読み取ったときの原稿の読み取り条件を容易に把握できるという効果を有する。
【００１２】
請求項２に記載の発明は、原稿を読み取る読取部と、読取部による原稿の読み取り条件を設定する読み取り条件設定部と、読取部によって読み取られた原稿画像と読み取り条件設定部により設定された読み取り条件とを対で保存する画像データ保存部と、原稿を再度読み取り直す際に画像データ保存部から、読み取り直しが必要な原稿の読み取り条件を呼び出す読み取り条件呼出部とを備えることを特徴とする画像読取装置であり、読み取った原稿画像の読み取り条件を呼び出すことができるので、適切に読み取りができていない原稿を再度、迅速に最適な読み取り条件にて読み取り直しができるとともに、読み取る原稿と類似な原稿画像が保存されている場合には、同じ条件で読み取ることができるので、設定の手間が省け、迅速に読み取り条件を決定することができ、良好な読み取り画像を得ることができるという効果を有する。
【００１３】
請求項３に記載の発明は、請求項１又は２記載の発明において、読み取り条件設定部は、原稿の読み取り条件を再設定する画像読取装置であり、適切に読み取りができていなかった原稿を再度、読み取り条件を設定して再読み取りできるので、原稿ごとに適応した読み取りができるという効果を有する。
【００１４】
請求項４に記載の発明は、原稿を読み取る読取手段と、読取手段による原稿の読み取り条件を設定する読み取り条件設定手段と、読取手段によって読み取られた原稿画像と読み取り条件設定手段により設定された取り条件とを対で保存する画像データ保存手段と、原
稿を再度読み取り直す際に画像データ保存手段から、読み取り直しが必要な原稿の読み取り条件を呼び出す読み取り条件呼出手段とを備える画像読取方法であり、適切に読み取りができていなかった原稿の読み取り条件を迅速に把握できるとともに再読み取り条件が設定できるので、良好な読み取り画像を得ることができるという効果を有する。
【００１５】
本発明の請求項５に記載の発明は、請求項４記載の発明において、読み取り条件設定手段は、原稿の読み取り条件を再設定する画像読取方法であり、原稿にあった読み取り条件を再設定できるので、良好な読み取り画像を得ることができるという効果を有する。
【００１６】
以下、本発明の実施の形態について説明する。
【００１７】
図１は本発明の一実施の形態における画像読取装置を示す構成図、図２は図１の画像読取装置における読み取り機能を示す機能ブロック図、図３は図１の画像読取装置における各原稿画像の読み取り条件を示す表、図４は図１の読み取り条件の再設定を行う画面を示す図、図５は初期画像読み取り時のフローチャート、図６は画像再読み取り時のフローチャートである。
【００１８】
次に図１〜図５を用いて本発明の一実施の形態における画像読取装置について説明する。
【００１９】
図１において、１０１は、図中の二点鎖線で示す矢印方向に原稿１０２を送る搬送路（図示せず）に備えた透明な原稿台ガラスで、原稿１０２がその上を図示しない原稿搬送手段によって搬送されながら画像が読み取られる。１０３は、光源部（ランプユニット）で後述する構成となっている。１０４は、画像読み取り部で、ミラー１０５で（複数あり、図示せず）を含む光学系によって構成され、光源部１０３から原稿台ガラス１０１上の原稿１０２の読取り面に光を照射し、光照射された画像をミラー１０５経由の図中の一点鎖線で示す光路によって原稿検知部に入射させる光学系を備えたものである。画像読み取り部１０４は、ラインイメージセンサ１０７と、ミラー１０５経由の光をラインイメージセンサ１０７に結像させる光学レンズ１０６を備える。
【００２０】
図２において、１は画像を読み取る際のモノクロ／カラーの区別、明るさなどの読み取り条件を設定するための読み取り条件設定手段、２は実際に画像を読み取る画像読取手段、３は読み取った画像データおよび読み取り条件データを保存するための画像データ保存手段、４は画像データ保存手段３に保存された画像データを表示するための画像データ表示手段、５は保存された読み取り条件データを呼び出して読み取り条件設定手段１に設定するための読み取り条件呼出手段である。
【００２１】
次に、このような構成の画像読取装置について図３から図６を用いて動作を説明する。
【００２２】
図５において、新規に画像を読み取る場合、まず、その原稿画像に適していると考えられる画像読み取り条件を読み取り条件設定手段（読み取り条件設定部）１に設定する（ステップＳ１００）。ここで、読み取り条件とは、解像度、明るさ、コントラスト、カラー、グレーなどを示す。
【００２３】
次に、設定した読み取り条件で読取手段（読取部）２にて画像の読み取りを行う（ステップＳ１１０）。その際、読み取られた画像データと読み取り条件データ及びその他詳細な情報とを図３に示すような形式で画像データ保存手段（画像データ保存部）３に保存する（ステップＳ１２０）。通常、画像読み取り装置にはＣＲＴなどの表示装置が付いており、画像データ表示手段４において画像データ保存手段３に保存された画像および読み取り条件データを表示する。
【００２４】
画像読み取り処理は通常、画像読み取り処理をおこなった後、その画像を表示確認するが、表示確認した結果、適当な画像データが得られていなかった場合には、再度読み取り条件を設定して読み取りを行う。このとき、保存していた読み取り条件データを画面上に表示されるボタン（図示せず）を選択することで読み取り条件呼び出し手段（読み取り条件呼出部）５にて呼び出し、必要な条件だけを変更することで容易に、より最適な読み取り条件を設定することができる。
【００２５】
また、別の新規画像を読み取る際には、画像データ表示手段４で類似の画像データを探し、その読み取り条件データを読み取り条件呼び出し手段５にて読み取り条件設定手段１に呼び出して、必要な条件だけを変更することで容易に最適な読み取り条件を設定することができる。
【００２６】
ここで、図６において、画像データ保存手段３に保存していた読み取り条件データを読み取り条件呼び出し手段５にて読み取り条件設定手段１に呼び出す（ステップＳ２００）。次に図４に示すような読み取り条件再設定画面において、必要な条件を変更して、より最適な読み取り条件を設定する（ステップＳ２１０）。その後は図５に示したフローチャートと同様にその条件で読取手段２にて画像の読み取りを行う（ステップＳ２２０）。読み取られた画像データは、読み取り条件データと一緒に保存する（ステップＳ２３０）。
【００２７】
以上のことから、本発明の一実施の形態における画像読取装置は、保存した画像データを読み取った際の読み取り条件を、読み取り条件設定手段に再設定可能としたことにより、容易にその読み取り条件から必要な部分だけを変更して迅速に読み取り直しを可能にしたものである。
【００２８】
また保存した画像データと類似の、新たな画像データを読み取りたいと言う場合には、その画像データの読み取り条件データを呼び出し、読み取り条件設定手段に設定することにより、容易に適切な画像データを読み取ることができる。
【産業上の利用可能性】
【００２９】
本発明の画像読取装置はファイリング装置や、ファイリングソフトをインストールしたパーソナルパソコン、スキャナ装置、デジタル複合機、デジタル複写機に有用である。
【図面の簡単な説明】
【００３０】
【図１】本発明の一実施の形態における画像読取装置を示す構成図
【図２】図１の画像読取装置における読み取り機能を示す機能ブロック図
【図３】図１の画像読取装置における各原稿画像の読み取り条件を示す図
【図４】図３の読み取り条件の再設定を行う画面を示す図
【図５】図１の画像読取装置における初期画像読み取り時のフローチャート
【図６】図１の画像読取装置における画像再読み取り時のフローチャート
【図７】従来の画像読取システムを示す図
【図８】従来の画像読取装置を示す図
【符号の説明】
【００３１】
１    読み取り条件設定手段（読み取り条件設定部）
２    読取手段（読取部）
３    画像データ保存手段（画像データ保存部）
４    画像データ表示手段
５    読み取り条件呼出手段（読み取り条件呼出部）
１０１    原稿台ガラス
１０２    原稿
１０３    光源部
１０４    画像読み取り部
１０５    ミラー
１０６    光学レンズ
１０７    ラインイメージセンサ
【図１】
2005354162.tif 000003
【図２】
2005354162.tif 000004
【図３】
2005354162.tif 000005
【図４】
2005354162.tif 000006
【図５】
2005354162.tif 000007
【図６】
2005354162.tif 000008
【図７】
2005354162.tif 000009
【図８】
2005354162.tif 000010